(57)【要約】【課題】浴室内にスピーカを簡易に設置することが可能な浴室空調装置を提供する。【解決手段】中継用ケーブル線１０は、浴室空調装置本体２に穿設される挿通孔３６，３７を介して、浴室空調装置本体２の内部から、室内や室外等に配線される。浴室空調装置本体２の内部は浴室内と浴室外との間をつなぐための配線経路となる。スピーカを浴室内に取り付ける場合には、浴室空調装置本体２の内部を介して配線すれば良いため、天井に浴室空調装置用の開口孔のみを施工すれば良く、別途スピーカ用の開口孔を天井に新たに施工する必要がなく、施工性の向上を図ることができる。【選択図】図１
2008190764.tif 000002
【特許請求の範囲】
【請求項１】
浴室内の空気を吸い込む吸込部と、浴室内に空気を吹き出す吹出部とが設けられた浴室空調装置本体を備える浴室空調装置であって、
前記浴室空調装置本体には、前記浴室内に取り付けられるスピーカ装置に対するケーブル線を前記浴室空調装置本体の内部を介して敷設するための配線用孔が穿設されていること
を特徴とする浴室空調装置。
【請求項２】
前記配線用孔に挿通される前記ケーブル線は、支持部材を介して前記配線用孔に固定されること
を特徴とする請求項１に記載の浴室空調装置。
【請求項３】
前記配線用孔を使用しないときには、封止部材によって前記配線用孔が封止されること
を特徴とする請求項１に記載の浴室空調装置。
【請求項４】
前記配線用孔は、第１の配線用孔と第２の配線用孔とを有し、
前記ケーブル線は、前記浴室空調装置本体の内部に配設されると共に、両端部のそれぞれに第１のコネクタおよび第２のコネクタが取り付けられた中継用のケーブル線であり、
前記第１および第２のコネクタの少なくとも一方は、前記第１および第２の配線用孔の少なくとも一方に前記支持部材を介して装着されていること
を特徴とする請求項２に記載の浴室空調装置。      
【請求項５】
前記浴室空調装置本体内の前記吸込部および前記吹出部がそれぞれ設けられていない空間部に前記ケーブル線を収容するようにした
を特徴とする請求項１に記載の浴室空調装置。
【発明の詳細な説明】
【技術分野】
【０００１】
本発明は浴室空調装置に関する。詳細には、浴室の天井に設置する浴室空調装置にスピーカ装置を取り付ける場合に、浴室空調装置本体に配線用孔を穿設することで、天井に配線用の開口部を形成することなく、浴室内に取り付けられるスピーカ装置と浴室外の天井裏に設置される増幅器等との間を接続するケーブル線の敷設を可能にして、施工性の向上を図った浴室空調装置に関する。
【背景技術】
【０００２】
従来から、浴室には、浴室内の換気を行う換気モードを備えた浴室空調装置が設置されている。さらには、浴室内を温める暖房モード、浴室内に送風を供給する涼風モードや浴室内に吊るした衣類等を乾燥する乾燥モードを備えた浴室空調装置も広く普及している。
【０００３】
また、近年、浴室内に防水加工されたスピーカを取り付けることにより、入浴中に音楽を楽しむことを可能とするオーディオシステムが提案されている。例えば、特許文献１には、音声出力用の２個のスピーカと音声信号を増幅してスピーカに出力する増幅器とを備えるオーディオシステムが開示されている。
【０００４】
【特許文献１】特開２００１−１５７６４２号公報
【発明の開示】
【発明が解決しようとする課題】
【０００５】
しかしながら、特許文献１に開示される浴室の音響再生装置では、ＣＤプレーヤや操作パネル等は、防水、防湿対策や設置場所の確保等の問題を考慮して、天井裏や浴室に隣接する洗面脱衣所等に設置される。そのため、浴室内のスピーカと浴室外の操作パネル等との間の配線を行う場合には、浴室空調装置用の開口孔とは別にスピーカ配線用の開口孔を浴室の側壁や天井に施工しなければならない。これにより、作業工程が増えてしまい、作業者の負担が増大してしまうという問題がある。
【０００６】
本願発明は、上記課題に鑑みてなされたものであり、その目的は、浴室内にスピーカを簡易に設置することが可能な浴室空調装置を提供することにある。
【課題を解決するための手段】
【０００７】
本願発明の浴室空調装置は、浴室内の空気を吸い込む吸込部と、浴室内に空気を吹き出す吹出部とが設けられた浴室空調装置本体を備える浴室空調装置であって、前記浴室空調装置本体には、前記浴室内に取り付けられるスピーカ装置に対するケーブル線を前記浴室空調装置本体の内部を介して敷設するための配線用孔が穿設されていることを特徴とするものである。
【０００８】
スピーカ装置に対するケーブル線は、浴室空調装置本体に穿設される配線用孔を介して、浴室空調装置本体の内部から、室内や室外等に配線される。すなわち、浴室空調装置本体に配線用孔を穿設することで、浴室空調装置本体の内部が浴室内と浴室外との間をつなぐための配線経路となる。これにより、スピーカ装置を浴室内に取り付ける場合には、天井に浴室空調装置用の開口孔のみを施工すれば良く、別途スピーカ装置用の開口孔を天井に新たに施工する必要がない。従って、スピーカ装置の取り付け作業において、施工性の向上を図ることができ、従来と比較して作業者の負担軽減を図ることができる。
【０００９】
本願発明においてスピーカ装置とは、スピーカ単体、スピーカと増幅器、スピーカと増幅器とこれらを制御する制御部等を含むものである。また、スピーカ装置に対するケーブル線とは、スピーカに接続されたケーブル線、増幅器に接続されたケーブル線、スピーカと増幅器との間に設けられる中継用のケーブル線等を含むものである。また、浴室とは、浴槽が設置された部屋、浴槽およびシャワーが設置された部屋やシャワーのみが設置された部屋を含むものである。
【００１０】
また、ケーブル線は支持部材を介して配線用孔に挿通される。
配線用孔とこの配線用孔を通過する配線との隙間が支持部材によって埋められることで、浴室空調装置本体内部と外部との間の空気等の流通が遮断される。これにより、浴室内の水分を含んだ空気（湿気）が浴室空調装置本体の内部に流れ込んできた場合でも、支持部材によって流れ込んだ空気がその内部で遮断される。その結果、浴室空調装置本体の内部から外部、すなわち天井裏に湿気が漏れ出すことがない。従って、天井裏の湿気によるカビの発生等を回避できる。
【発明の効果】
【００１１】
本発明によれば、スピーカ装置を浴室内に取り付ける場合には、別途スピーカ装置を配線するための開口部を天井に新たに施工する必要がない。従って、スピーカ装置の取り付け作業において、施工性の向上を図ることができ、従来と比較して作業者の負担軽減を図ることができる。
【発明を実施するための最良の形態】
【００１２】
［第１の実施の形態］
以下、本発明の実施形態につき、図面を参照して説明する。
図１は、本実施の形態に係る浴室空調装置の構成を示す断面図である。図２は、中継用ケーブル線を使用する場合の挿通孔の拡大図であり、図２（ａ）は図１に示す領域Ａの要部拡大図であり、図２（ｂ）は図１に示す領域Ｂの要部拡大図である。図３は、図２に示す挿通孔部分の構成を示す分解斜視図である。図４は、中継用ケーブル線を使用しない場合の挿通孔の拡大図であり、図４（ａ）は図１に示す領域Ａの要部拡大図であり、図４（ｂ）は図１に示す領域Ｂの要部拡大図である。図５は、図４に示す挿通孔部分の構成を示す分解斜視図である。
【００１３】
本実施形態に係る浴室空調装置１Ａは、浴室の天井パネルに設置される浴室空調装置本体２とフロントパネルとを備える。なお、図１に示す浴室空調装置１Ａでは便宜上フロントパネルを装着していない例を示す。
【００１４】
浴室空調装置１Ａは、浴室内の空気を吸い込んで、温風を吹き出す暖房モードや吸い込んだ空気を屋外に排出する換気モードを備える。
【００１５】
浴室空調装置本体２は、その下面にファン吸込口２０ａと吹出口２０ｂを有するファン部２１を備える。
【００１６】
ファン部２１は、回転駆動される多翼のファン２２と、ファン２２を回転駆動するファンモータ２２ａと、ファン２２の軸方向から空気を吸い込んで、ファン２２の接線方向に吹き出す風路を形成するファンケース２３とを備える。
【００１７】
ファン吸込口２０ａは、浴室内の空気を吸い込む吸込部として機能し、ファン２２の軸方向に沿うようにファンケース２３の下面に形成される。ファン２２が回転駆動されると、ファン吸込口２０ａから空気が吸い込まれる。
【００１８】
吹出口２０ｂは、ファン吸込口２０ａから吸い込んだ空気を浴室内に吹き出す吹出部として機能し、ファン２２の接線方向に沿った風路を形成するファンケース２３の下端面に形成される。ファン２２が回転駆動されると、ファン吸込口２０ａから吸い込まれた空気が浴室内に吹き出される。
【００１９】
ファン部２１には、ファン２２の接線方向に沿った風路を形成するファンケース２３の一の側面に排出口２０ｃが形成される。さらに、このファン部２１には、ファン吸込口２０ａから吸い込まれた空気を、吹出口２０ｂから浴室に吹き出すか、排出口２０ｃから屋外に排出するかを切り替える風路切換ダンパ２４が設けられる。排出口２０ｃは、ファン吸込口２０ａから吸い込んだ空気を浴室外に排出する排気部として機能する。
【００２０】
風路切換ダンパ２４は、図示しないダンパモータの駆動力がカム２４ａを介して伝達され、ダンパ軸２４ｂを支点に回動して開閉動作が行われる。風路切換ダンパ２４を図１に実線で示す循環位置に切り換えると、排出口２０ｃへの風路が遮断され、ファン吸込口２０ａから吹出口２０ｂへ連通した循環風路２５ａが形成される。
【００２１】
また、風路切換ダンパ２４を図１に二点鎖線で示す換気位置に切り換えると、吹出口２０ｂへの風路が遮断され、ファン吸込口２０ａから排出口２０ｃへ連通した換気風路２５ｂが形成される。
【００２２】
さらに、風路切換ダンパ２４を図１に破線で示す分流位置に切り換えると、ファン吸込口２０ａから吹出口２０ｂへ連通した循環風路２５ａと、ファン吸込口２０ａから排出口２０ｃへ連通した換気風路２５ｂの双方が形成される。
【００２３】
ここで、上述した浴室空調装置本体２としては、循環ファン部と換気ファン部とを一体化した構成を説明したが、循環ファン部と換気ファン部を別々に設けて循環風路と換気風路を独立した構成にしても良い。
【００２４】
浴室空調装置本体２は、吹出口２０ｂにヒータ２６を備える。ヒータ２６は、吹出口２０ｂにＰＴＣヒータ等の電気ヒータを有する。
【００２５】
浴室空調装置本体２は、ファンケース２３を覆う本体ケース２８を備える。本体ケース２８は、ファンケース２３のファン吸込口２０ａと吹出口２０ｂが形成された下面を除く４側面と上面を覆う形状で、ファンケース２３の排出口２０ｃと対向する位置に形成された開口部には排出ダクトジョイント２８ａが取り付けられる。
【００２６】
また浴室空調装置本体２は、図１のＡ部を拡大して示す図２（ａ）および図２（ｂ）から明らかなように、浴室内に取り付けられるスピーカ装置に対するケーブル線を本体ケース２８の内部を介して敷設させるための挿通孔（配線用孔）３６，３７と、このケーブル線を敷設するための専用の領域となる空間部１００（図１参照）とを備える。本例では、スピーカ装置の一例としてスピーカを浴室内に取り付ける場合について説明する。
【００２７】
空間部１００は、本体ケース２８の内周面２８ｂとファンケース２３の外周面２３ｂとによって囲まれた空間領域であり、浴室内から吸い込んだ空気や吐き出す空気の流れを乱さないようにファン吸込口２０ａ、吹出口２０ｂおよび排出口２０ｃが形成されていない空間領域が空間部１００として設定される。本例では、図１にも示すように、ファンケース２３の外周面２３ｂと本体ケース２８の内周面２８ｂとの間の風路が形成されていない装置本体内部の端部領域が空間部１００として設定される。
【００２８】
挿通孔３６は第１の配線用孔として機能し、図２（ａ）に示すように、この例では空間部１００を構成する本体ケース２８の上面部に穿設される。他方の挿通孔３７は第２の配線用孔として機能し、図２（ｂ）に示すように、この例では空間部１００を構成するファンケース２３の底面部に穿設される。これらの挿通孔３６，３７は、ケーブル線や後述するコネクタおよびゴムパッキンに対応した形状に穿設されており、本例では平面視矩形状に穿設される（図３参照）。挿通孔３６，３７の形状は、ケーブル線やコネクタを挿通できるような形状であれば良く、図示の矩形状に限定されることはない。例えば円形状等の形状であっても良い。
【００２９】
本体ケース２８外面の挿通孔３６の周縁部には、図２（ａ）および図３に示すように、挿通孔３６の外径よりも若干径大の切り欠き部（段部）８６が形成される。この切り欠き部８６は、封止部材として機能する後述のシール蓋８４を着脱自在に装着するための凹部として機能する。一方、挿通孔３６の本体ケース２８内面側には、この周縁を囲繞する下方向に突出した突出部８７が形成される。突出部８７は挿通孔３６内に装着固定される後述のコネクタ３４ａを確実に固定するための支持領域として機能する。図２（ｂ）に示すように、ファンケース２３の底面部側に穿設された挿通孔３７の周縁部にも同様な切り欠き部８６および突出部８７が形成されている。
【００３０】
また浴室空調装置本体２は、図１に示すように、空間部１００に敷設された中継用ケーブル線１０を備える。中継用ケーブル線１０は、上述したスピーカに対して配線されたケーブル線の一例であり、浴室内の天井面に取り付けられるスピーカのケーブル線と浴室外の天井裏に設置される増幅器等のケーブル線とを浴室空調装置本体２内部を介して接続するために予め敷設された中継線である。後述するように、本例では、チューナ等から出力される音声出力を２個のスピーカを用いてステレオ再生するため、これに対応して２本の中継用ケーブル線１０が敷設されている。図２（ａ）および図２（ｂ）に示すように、２本の中継用ケーブル線１０の両端部のそれぞれにはスピーカのケーブル線３０と増幅器等のケーブル線４８とを接続するため、一端にはオス型コネクタ３４ａが，他端にはメス型コネクタ３５ａが取り付けられる。
【００３１】
中継用ケーブル線１０のオス型コネクタ（第１のコネクタ）３４ａは、挿通孔３６の孔周面とオス型コネクタ３４ａの外周面との間に介挿された支持部材３８を介して、挿通孔３６の所定位置に装着固定される。同様に、他端部のメス型コネクタ（第２のコネクタ）３５ａも挿通孔３７の位置に支持部材３８を介して装着固定される。支持部材としては、例えば、これらの間隙を埋めるために伸縮自在な弾性材料であって、天井裏に浴室内の湿気が漏れ出さないような防水、防湿処理された材料が用いられる。本例では防水、防湿処理されたゴムパッキン３８が用いられている。浴室内から浴室空調装置本体２の内部に吸い込まれた空気（湿気）が挿通孔３６，３７から天井裏に漏れ出すことを防止できるので、カビ等の発生を抑制できる。ゴムパッキン３８によってオス型コネクタ３４ａ，メス型コネクタ３５ａを挿通孔３６，３７の位置で固定することで、中継用ケーブル線１０を予め空間部１００の所定位置に設置（敷設）できる。
【００３２】
次に、上述した浴室空調装置本体２の空間部１００に敷設された中継用ケーブル線１０を介して、スピーカのケーブル線３０と増幅器のケーブル線４８とを互いに接続する場合について説明する。図２（ｂ）に示すように、挿通孔３７の所定位置に装着固定されたメス型コネクタ３５ａに、スピーカに接続されたケーブル線３０の一端に取り付けられたオス型コネクタ３０ａを接続（接続）する。スピーカに接続されるケーブル線３０は、図１および後述する図１５に示すように、ファン吸込口２０ａや吹出口２０ｂを避けたファンケース２３の下面に沿った経路に敷設し、固定部材３４でケーブル線３０の撓み部分をファンケース２３に固定することが好ましい。同様に、図２（ａ）に示すように、挿通孔３６の位置に固着されたオス型コネクタ３４ａに、増幅器に接続されたケーブル線４８の一端に取り付けられたメス型コネクタ４８ａを接続する。これにより、例えば浴室内の天井面に取り付けられるスピーカと、浴室外の天井裏に設置される増幅器等とを、ケーブル線３０，４８を用いて浴室空調装置本体２内部に配設された中継用ケーブル線１０を介して電気的に接続できる。
【００３３】
中継用ケーブル線１０は、浴室空調装置本体２の空間部１００に常時敷設されているものであるから、スピーカを備えていない浴室空調装置本体２を使用する場合であっても中継用ケーブル線１０は取り外されることはない。従って、中継用ケーブル線１０を使用しない場合には、図４（ａ）、（ｂ）および図５に示すように、本体ケース２８の外側からコネクタ保護用のシール蓋８４（封止部材）を切り欠き部８６に装着して挿通孔３６，３７の外面側を被覆する。シール蓋８４は、切り欠き部８６と挿通孔３６を隙間無く閉塞可能な形状であって、防水、防湿処理がされた弾性部材が使用される。これにより、ゴムパッキン３８と共に挿通孔３６，３７が封止され、浴室内から吸い込まれる水分を含む空気（湿気）が挿通孔３６，３７から天井裏に漏れ出すことを防止できる。中継用ケーブル線１０を使用するときにはシール蓋８４を外すのはもちろんである。
【００３４】
本実施の形態によれば、スピーカを浴室内に取り付ける場合には、天井面に浴室空調装置本体２用の開口部のみを形成すれば良く、別途、スピーカ用の開口部を新たに天井面に形成する必要がない。従って、スピーカの天井面に施工する場合、従来と比較して、簡易な方法でスピーカを天井面に取り付けることができ、施工性の向上を図ることができると共に、作業者の負担軽減を図ることができる。
【００３５】
また本実施の形態によれば、挿通孔３６，３７と中継用ケーブル線１０との間にゴムパッキン３８が介挿されているため、浴室内の湿気等が天井裏に湿気が漏れ出すことを防止することができる。これにより、天井裏の湿気によるカビの発生等を回避できる。また挿通孔３６，３７を使用しない場合にはシール蓋８４で挿通孔３６，３７を封止できるので、コネクタ３４，３５を湿気等から保護できる。また施工時の外傷も防止できる。
【００３６】
さらに、本実施の形態によれば、浴室空調装置本体２にスピーカ装置に対するケーブル線用の挿通孔３６，３７が予め穿設されているため、スピーカ装置を搭載した機種とスピーカ装置を搭載しない機種との複数の機種を用意する必要がなくなる。また、浴室空調装置本体２の挿通孔３６，３７を利用することで、追加工事（拡張工事）等をすることなく、既存の浴室空調装置にスピーカ装置を後付けで設置することが可能となる。
【００３７】
［第２の実施の形態］
以下、本発明の実施形態につき、図６以下を参照して説明する。本実施の形態は、図６に示すように、上述した浴室空調装置本体２に、スピーカ収容部３２が一体形成されたフロントパネル４を取り付けた浴室空調装置１Ａの構成例について説明する。なお、その他の浴室空調装置本体２の構成は、上述した第１の実施の形態と同一であるため、共通の構成要素には同一の符号を付し、詳細な説明は省略する。
【００３８】
図６（ａ）は本発明の一実施形態に係る浴室空調装置１Ａの構成を示す断面図であり、図６（ｂ）は領域Ｃの拡大断面図である。図７は、浴室空調装置１Ａの構成を示す斜視図である。図８は、浴室空調装置１Ａを浴室の天井面に取り付けた状態を示す図である。
【００３９】
（浴室空調装置の構成）
浴室空調装置本体２は、図６（ａ）に示すように、吹出口２０ｂに電動ルーバ２７を備える。電動ルーバ２７は、図示しない複数枚の整流板がルーバモータで駆動されて、整流板の向きを変えることで、空気の吹き出し方向が切り換えられる。
【００４０】
フロントパネル４は、図６、図７に示すように、フロントパネル本体１２と、フロントパネル本体１２の両端部に取り付けられるスピーカ収容部３２，３２とを備える。スピーカ収容部３２，３２の内部にはスピーカ３１，３１が配設される。なお、左右の各スピーカ収容部３２，３２およびこれらの内部に収容される各スピーカ３１，３１は左右同一構成であるため、以下の説明では左側のスピーカ収容部３２およびスピーカ３１についてのみ説明する。
【００４１】
フロントパネル本体１２は、一方の面が開口され、浴室空調装置本体２の下面全体を覆うように形成された筐体であり、開口側を天井面に当接させるようにして、図示しないねじ等の取付部材によって浴室空調装置本体２や天井面に取り付け固定される。フロントパネル本体１２には、浴室内の空気を吸い込むための吸込口グリル４０ａと浴室空調装置本体２から浴室内に空気を吹き出す吹出口グリル４０ｂとが形成される。吸込口グリル４０ａは浴室内の空気を吸い込む吸込部の一部として機能し、フロントパネル４が浴室空調装置本体２に取り付けられると、吸込部の他部として機能するファン吸込口２０ａと連通される。また、吹出口グリル４０ｂは浴室内に空気を吹き出す吹出部の一部として機能し、フロントパネル４が浴室空調装置本体２に取り付けられると、吹出部の他部として機能する吹出口２０ｂと連通される。また、フロントパネル本体１２には、吸込口グリル４０ａの裏側にフィルタ４０ｃが交換可能に取り付けられる。
【００４２】
スピーカ収容部３２，３２は、図６および図７に示すように、浴室空調装置１Ａの長手方向の両端部のそれぞれに設けられる。このスピーカ収容部３２は、浴室空調装置１Ａの短手方向の長さを有する略直方体状をなす筐体であり、フロントパネル本体１２の一部を構成する。スピーカ収容部３２とフロントパネル本体１２との間に立設された部材８８は筐体の一部であるが、仕切り部材としても機能する。
【００４３】
スピーカ収容部３２の下面の略中央部には、図６（ｂ）および図７に示すように、スピーカ３１を下面側から嵌め込んで取り付けるための開口部４１が穿設される。さらに、スピーカ収容部３２の側面部を構成する部材８８には、スピーカ収容部３２の内部に設置されるスピーカ３１のケーブル線３０をフロントパネル本体１２側に引き出すための取出孔３３が穿設される。
【００４４】
スピーカ収容部３２に取り付けられるスピーカ３１がコーン型スピーカである場合には、図６（ｂ）に示すように、ラッパ状のコーン部３１ａと、このコーン部３１ａの下端縁に設けられた外方向に突出するスピーカ取付フランジ１４を有する。スピーカ取付フランジ１４は、コーン部３１ａと一体形成でも良いし、別体形成でも良い。
【００４５】
また、スピーカ３１は、スピーカ取付フランジ１４および開口部４１周縁の切り欠き部のそれぞれに穿設された連結孔にねじ１５等を挿通することで、スピーカ収容部３２に取り付け固定される。スピーカ３１のコーン部３１ａ表面は、防水、防湿処理されている。スピーカ収容部３２は外部に露出し、浴室内の湿気に直接触れるためである。
【００４６】
このように、スピーカ収容部３２は、上述した開口部４１および取出孔３３を除いては筐体に覆われた密閉構造となっており、開口部４１にスピーカ３１が装着され、取出孔３３にケーブル線３０がゴムパッキン等の封止部材１１０を介して装着されることで、スピーカ収容部３２の内部が完全に密閉された空間となる。
【００４７】
（浴室空調装置の設置例）
次に、上述した浴室空調装置１Ａの設置例について、図８を参照して説明する。浴室空調装置本体２は、図８に示す浴室１０１の天井パネル１０２に形成された開口部に挿入されて、天井パネル１０２に固定される形態で、または、図示しない吊り下げ金具で天井裏に吊り下げられる形態で設置される。図８に示すように、この例では浴室空調装置本体２が、浴槽１０１ａの上方に位置する天井パネル１０２に固定される。
【００４８】
浴室空調装置本体２には、スピーカ収容部３２が一体に形成されたフロントパネル４が図示しないねじ等の取付部材によって取り付けられ、浴室空調装置本体２がフロントパネル４によってマスクされている。
【００４９】
天井パネル１０２に取り付けられた浴室空調装置本体２の側面部２ａには排出ダクトジョイント２８ａ（図６（ａ）参照）を介して排気ダクト１０３が連結され、その先端部が外壁１０４を貫通して屋外に突出している。排気ダクト１０３の先端部には、外壁１０４に取り付けられた屋外グリル１０３ａが連結される。これにより、浴室１０１等から吸い込んだ空気は、排出ダクトジョイント２８ａおよび排気ダクト１０３を介して屋外グリル１０３ａから屋外に排気される。
【００５０】
浴室空調装置１Ａは、本体用制御部５６と本体用操作パネル５８とを備える。本体用制御部５６は、浴室空調装置本体２の内部に設けられ、浴室空調装置本体２全体の制御を行う。本体用操作パネル５８は、洗面脱衣所５２の壁面に設置されると共にケーブル線を介して本体用制御部５６に接続される。本体用操作パネル５８には、例えば、モード切替ボタン、温度設定ボタン、時間設定ボタン、表示部等が設けられる。本体用操作パネル５８の所定のボタンが押下されると、これに対応した操作信号が本体用制御部５６に供給され、この操作信号に基づいて、浴室空調装置本体２の換気モードや暖房モードなどの切り替え処理が行われる。
【００５１】
また浴室空調装置１Ａは、図示しないラジオ、ＴＶチューナやＣＤプレーヤ等のオーディオ音源とオーディオ用操作パネル６６とオーディオ用制御部６４と増幅器６２とを備える。オーディオ用操作パネル６６は、洗面脱衣所５２の壁面に上述した本体用操作パネル５８に隣接して設置され、ケーブル線を介して増幅器６２に接続される。オーディオ用操作パネル６６には、例えば、音源切り替えボタン、選局ボタンや音量ボタンが設けられる。また、オーディオ用操作パネル６６は、図示しない入力端子を有しており、テレビ、ラジオチューナやＣＤプレーヤ等の音声出力装置が接続される。オーディオ用制御部６４と増幅器６２とは一体化された状態で、この例では天井パネル１０２裏面に設置される。増幅器６２と、上述した浴室空調装置本体２内部に配設される中継用ケーブル線１０とはケーブル線４８によって連結される。この中継用ケーブル線１０によっても増幅器６２は左右のスピーカ３１，３１に接続される。オーディオ用操作パネル６６の所定のボタンが押下されると、例えばＴＶ、ラジオチューナやＣＤプレーヤの切り替え、または放送番組や曲の選局が行われ、これに対応した音声信号が増幅器６２に供給される。増幅器６２では供給された音声信号が増幅されて左右のスピーカ３１，３１に供給され、スピーカ３１，３１から浴室内に音楽等の音声が出力される。
【００５２】
（浴室空調装置の動作）
次に、上述した浴室空調装置１Ａの動作例について、図６〜図８を参照して説明する。浴室空調装置１Ａでは、ファンモータ２２ａによりファン２２が回転駆動されると、フロントパネル４の吸込口グリル４０ａからファン吸込口２０ａに浴室１０１の空気ＲＡが吸い込まれる。
【００５３】
風路切換ダンパ２４の位置が、図１に実線で示す循環位置であると、ファン吸込口２０ａから吹出口２０ｂへの循環風路２５ａが形成されるので、吸込口グリル４０ａから吸い込まれた空気ＲＡは、循環風路２５ａを通ってフロントパネル４の吹出口グリル４０ｂから吹き出される。
【００５４】
ヒータ２６は、循環風路２５ａの吹出口２０ｂに配置されるので、ヒータ２６が通電されることで、循環風路２５ａを通る空気が温められて、温風ＨＡが吹出口グリル４０ｂから吹き出す。
【００５５】
これにより、暖房運転モードでは、風路切換ダンパ２４を循環位置に移動させて、ファン部２１を駆動すると共に、ヒータ２６に通電することで、浴室１０１の空気を循環させながら、浴室１０１内に温風ＨＡが吹き出される。
【００５６】
また、涼風運転モードでは、風路切換ダンパ２４を循環位置に移動させて、ヒータ２６は非通電でファン部２１を駆動することで、浴室１０１の空気を循環させながら、浴室１０１内に室温に応じた送風が吹き出される。
【００５７】
風路切換ダンパ２４の位置が、図１に二点鎖線で示す換気位置であると、ファン吸込口２０ａから排出口２０ｃへの換気風路２５ｂが形成されるので、フロントパネル４の吸込口グリル４０ａから吸い込まれた空気は、換気風路２５ｂを通って排出口２０ｃから排気される。
【００５８】
これにより、換気運転モードでは、風路切換ダンパ２４を換気位置に移動させて、ファン部２１を駆動することで、浴室１０１内の湯気や湿気が排気される。
【００５９】
風路切換ダンパ２４の位置が、図１に破線で示す分流位置であると、ファン吸込口２０ａから吹出口２０ｂへの循環風路２５ａと、ファン吸込口２０ａから排出口２０ｃへの換気風路２５ｂの双方が形成されるので、フロントパネル４の吸込口グリル４０ａから吸い込まれた空気は、一部は循環風路２５ａを通って吹出口グリル４０ｂから浴室１０１内に吹き出される。
【００６０】
また、吸込口グリル４０ａから吸い込まれた空気の残部は、換気風路２５ｂを通って排出口２０ｃから排気される。
【００６１】
これにより、乾燥運転モードでは、風路切換ダンパ２４を分流位置に移動させて、ファン部２１を駆動すると共に、ヒータ２６に通電することで、浴室１０１の空気の一部を循環させて浴室１０１内に温風ＨＡを吹き出しながら、浴室１０１内の湯気や湿気が排気される。
【００６２】
なお、涼風運転モードとして、風路切換ダンパ２４を分流位置に移動させ、ヒータ２６は非通電でファン部２１を駆動することで、浴室１０１の空気の一部を循環させて浴室１０１内に室温に応じた送風を吹き出しながら、浴室１０１内の湯気や湿気が排気されるようにしても良い。これらの運転モードとは独立してオーディオ系の動作が、オーディオ用操作パネル６６の指示にしたがって実行される。この指示は入浴する前に行われることが多い。
【００６３】
本実施形態によれば、上述した第１の実施の形態と同様の作用効果を奏することができる。さらには、浴室空調装置本体２の空間部１００に敷設された中継用ケーブル線１０（オス型コネクタ３４ａ，メス型コネクタ３５ａ）に対して、スピーカ収容部３２内に収容されたスピーカ３１のケーブル線３０（オス型コネクタ３０ａ）を接続すると共に、浴室外の天井裏に設置された増幅器６２のケーブル線４８（メス型コネクタコネクタ４８ａ）に接続することで、スピーカ３１と増幅器６２の電気的な接続が可能となる。これにより、配線接続の簡易化を図ることができ、より施工性の向上を図ることができる。
【００６４】
［第２の実施形態の変形例］
以下、本発明の実施形態につき、図面を参照して説明する。本実施の形態は、フロントパネル本体１２の内面（浴室空調装置本体２に対向する面）側にスピーカ収容部３２を形成している点において上記第２の実施の形態とは異なっている。なお、その他の浴室空調装置本体２の構成は、上述した第１の実施の形態と同一であるため、共通の構成要素には同一の符号を付し、詳細な説明は省略する。
【００６５】
図９（ａ）は上述した第２の実施の形態の変形例に係る浴室空調装置１Ａの構成を示す断面図であり、図９（ｂ）は領域Ｄの拡大断面図である。図１０は、スピーカ収容部３２が取り付けられたフロントパネル４の内面側の構成を示す斜視図である。
【００６６】
フロントパネル本体１２は、図９および図１０に示すように、一方の面が開口され、浴室空調装置本体２の下面全体を覆うように形成された筐体であって、その長手方向の両端部はスピーカ収容部３２が配置されるスペースＳ分だけ浴室空調装置本体２の外径よりも大きく形成されている。
【００６７】
このフロントパネル本体１２は、図１０に示すように、中央部付近に吹出口グリル４０ｂと吸込口グリル４０ａとが位置し、その左右両側に設けられたスペースＳにスピーカ収容部３２Ｌ，３２Ｒが位置する。スピーカ収容部３２はスピーカ３１を収容するための開口部を有する直方体状をなす筐体である。スピーカ収容部３２の下端外周面にはフロントパネル本体１２の面方向に延びるフランジ３２ｂが形成される。フランジ３２ｂとフロントパネル本体１２のそれぞれの対向する面には連結孔が穿設され、これらの連結孔にねじ１６を挿通することで、スピーカ収容部３２とフロントパネル本体１２とが合体される。
【００６８】
スピーカ収容部３２の側面部３２ａには、図９（ｂ）に示すように、一端部がスピーカ３１に接続されたケーブル線３０をフロントパネル本体１２側に引き出すための取出孔３３が穿設される。ケーブル線３０と取出孔３３との間には、上述した図２、図３等で示すようなゴムパッキン等の封止部材１１０が介挿され、スピーカ収容部３２内に浴室内の湿気等が入り込まないような構成となっている。
【００６９】
本実施の形態によっても、上記第１および第２の実施の形態と同様の作用効果を奏することができる。
【００７０】
［第３の実施の形態］
以下、本発明の実施形態につき、図面を参照して説明する。本実施の形態では、上述したフロントパネル４はフロントパネル本体１２のみから構成され、このフロントパネル４の外面にフロントパネル４と別個に設けられたスピーカ収容部３２が着脱自在に取り付けられる点において上記第１の実施の形態と異なる。その他の浴室空調装置本体２の構成は、上述した第１の実施の形態と同一であるため、共通の構成要素には同一の符号を付し、詳細な説明は省略する。
【００７１】
図１１（ａ）は本発明の一実施形態に係る浴室空調装置１Ａの構成を示す断面図であり、図１１（ｂ）は領域Ｅの拡大断面図である。
【００７２】
図１２は、浴室空調装置１Ａの構成を示す斜視図である。図１３は、浴室空調装置１Ａの組立て構成を示す分解斜視図である。
【００７３】
スピーカ収容部３２をフロントパネル４の外側に取り付け固定するための連結手段は、図１１〜図１３に示すように、浴室空調装置本体２に設けられた第１のフランジとして機能する本体フランジ３９と、スピーカ収容部３２に設けられた第２のフランジとして機能する収容部フランジ９０と、本体フランジ３９と収容部フランジ９０とを互いに連結する第３のフランジとして機能する外付けフランジ９４とから構成される。
【００７４】
本体フランジ３９は、図１１に示すように、浴室空調装置本体２を構成する筐体の下端部に取り付けられた外方向に延出する板状部材であって、浴室空調装置本体２を天井パネルに取り付け固定する部材として機能する他、スピーカ収容部３２をフロントパネル４の両端部のそれぞれに取り付けるための部材としても機能する。
【００７５】
収容部フランジ９０は、扁平な箱状をなすスピーカ収容部３２をフロントパネル４の両側（外側）に密着させた状態でこのフロントパネル４を介して本体フランジ３９に合体させるため、フロントパネル４と接触するスピーカ収容部３２の底板をフロントパネル４側に延在するようにして構成される。この収容部フランジ９０は図１１（ｂ）に示すように、フロントパネル４の開口端面側の間隙Ｍに挿入した状態で固定される。スピーカ収容部３２を本体フランジ３９に取り付け固定するため、外付けフランジ９４が用いられる。
【００７６】
図１１（ｂ）および図１３に示すようにこの外付けフランジ９４は、例えばフロントパネル４と同一の樹脂材料から構成されるＬ字状をなす板状部材であって、外付けフランジ９４の垂直部９４ａをフロントパネル４の側板内に内在させた状態で、外付けフランジ９４の水平部９４ｂが本体フランジ３９の下面に連結ねじ９６，９９を介して取り付けられる。連結ねじ９６，９９は図１３に示す連結孔２９，９５，９７，９８を介して取り付けられる。
【００７７】
このように、収容部フランジ９０は天井パネル１０２と外付けフランジ９４の各面に狭持された状態でフロントパネル４に連結される。一方、連結ねじ９９を取り外すことで、フロントパネル４からスピーカ収容部３２のみを取り外すことができる。従って、本実施の形態では、スピーカ収容部３２をフロントパネル４（外付けフランジ９４）に対して着脱自在に連結することができる。
【００７８】
一方、フロントパネル４の側板１２ａは、上述したようにスピーカ収容部３２の側面部３２ａと外付けフランジ９４の垂直部９４ａとの間隙内に介在された状態で一体化される。そのため、この例では側板１２ａと当接する側面部３２ａのうちスピーカ取付フランジ１４側の端面が被さるような端片（フランジ）１２ｂが側面１２ａと一体形成され、この端片１２ｂと側面部３２ａとが図示しないねじによって固定される。これで、フロントパネル４とスピーカ収容部３２とを機械的に一体化できる。
【００７９】
スピーカ収容部３２の内部に収容されるスピーカ３１用のケーブル線３０は、図１１および図１３に示すように、スピーカ収容部３２のフロントパネル４と対向する側面部３２ａに穿設された取出孔３３とこれに対向するフロントパネル４の側面部１２ａに穿設された通過孔１０６を介してスピーカ収容部３２の内部から外部（フロントパネル４の内部）に引き出される。このときケーブル線３０は、防水、防湿処理されたゴムパッキン等の封止部材１１０によって被覆された状態で取出孔３３、通過孔１０６内に装着される。これで、スピーカ収容部３２内部の密閉性が確保される。
【００８０】
本実施の形態によっても、上記第１および第２の実施の形態と同様の作用効果を奏することができる。
【００８１】
［第４の実施の形態］
以下、本発明の実施形態につき、図面を参照して説明する。本実施の形態では、上述したフロントパネル４はフロントパネル本体１２のみから構成される。また、浴室空調装置本体２の構成は、上述した実施の形態と同一であるため、共通の構成要素には同一の符号を付し、詳細な説明は省略する。
【００８２】
図１４は、本発明の一実施形態に係る浴室空調装置１Ａの構成を示す断面図である。図１５は、浴室空調装置１Ａにおいてフロントパネル４を外した状態を示す平面図である。
【００８３】
スピーカ収容部３２は、図１４および図１５に示すように、スピーカ収容部３２に形成された取り付け凸部３２ｂを介して、ネジ３２ｃにより浴室空調装置本体２の本体フランジ３９に取り付けられる。これにより、スピーカ収容部３２は、浴室空調装置１Ａの長手方向に沿った左右両側の本体フランジ３９に取り付けられた形態となる。
【００８４】
フロントパネル４は、図１４に示すように、浴室空調装置本体２の下面全体を覆うグリル形成部４０と、本体フランジ３９に取り付けられたスピーカ収容部３２を覆うカバー部材１１６とを有する。カバー部材１１６のスピーカ３１と対向する位置には複数の音声出力孔１１８がグリル状に穿設される。フロントパネル４の内側には、図１４に示すように、グリル形成部４０とカバー部材１１６との境界を仕切る仕切り板４２が立設される。仕切り板４２は、フロントパネル４の内側を短手方向（図１５参照）に横切る板状部材を一体に形成して構成される。フロントパネル４が浴室空調装置本体２に取り付けられると、フロントパネル４内の仕切り板４２が、浴室空調装置本体２の下面側に突き当たる形態となって、仕切り板４２とカバー部材１１６とによって囲まれる空間部４１がファン吸込口２０ａおよび吹出口２０ｂと仕切られる。これにより、フロントパネル４の音声出力孔１１８は、ファン吸込口２０ａおよび吹出口２０ｂとつながらない構成となる。
【００８５】
スピーカ３１に接続されるケーブル線３０は、図１５に示すように、ファン吸込口２０ａや吹出口２０ｂを避けた経路でファンケース２３の下面に沿うようにして、固定部材３４でファンケース２３に固定される。そして、スピーカ３１に接続されるケーブル線３０は、図１４に示すように、挿通孔３７のコネクタ３５ａに接続され（図２（ｂ）参照）、空間部１００の中継用ケーブル線１０を介して挿通孔３６のコネクタ３４ａに接続された増幅器６２に接続される（図２（ａ）参照）。
【００８６】
また、スピーカ収容部３２は、スピーカ３１を露出させる部位以外が囲われた密閉型で、更に、複数の部材で構成されるスピーカ収容部３２の合わせ面や、スピーカ３１と接続されるケーブル線３０の取出孔３３等が図示しない封止部材でシールされて防水構造を有している。また、スピーカ３１も防水構造を有しており、スピーカボックス３２内に湿気が浸入しない構成である。
【００８７】
［第５の実施の形態］
以下、本発明の実施形態につき、図面を参照して説明する。浴室空調装置本体２の構成は、上述した実施の形態と同一であるため、共通の構成要素には同一の符号を付し、詳細な説明は省略する。
【００８８】
図１６は、本発明の一実施形態に係る浴室空調装置１Ａの構成を示す断面図である。図１７は、浴室空調装置の構成を示す斜視図である。
【００８９】
スピーカ収容部３２は、図１６および図１７に示すように、その内部に収容されるスピーカ３１の浴室１０１側に露出する（剥き出しとなる）面を保護するためのカバー部材１１６を有する。カバー部材１１６は、図１６（ｂ）に示すように、スピーカ収容部３２の開口部４１よりもさらに下端に穿設されたカバー部材用孔１１７にねじ１５を介して装着される。カバー部材１１６のスピーカ３１と対向する位置には複数の音声出力孔１１８がグリル状に穿設される。フロントパネル４（フロントパネル本体１２）とカバー部材１１６との浴室１０１側の表面は、図１６および図１７に示すように、同一平面（面一）上に設けられ、平坦面を形成している。なお、カバー部材１１６とフロントパネル４とは同一部材で構成しても良いし、異なる部材で構成しても良い。
【００９０】
なお、本発明の技術範囲は、上述した実施形態に限定されるものではなく、本発明の趣旨を逸脱しない範囲において、上述した実施形態に種々の変更を加えたものを含む。
【００９１】
例えば、上述した実施の形態では、浴室空調装置本体２の空間部１００に予め中継用ケーブル線１０を設置していたが、スピーカ３１に接続されるケーブル線３０や増幅器６２に接続されるケーブル線４８を一方の挿通孔３６（３７）に挿入させた後、他方の挿通孔３７（３６）から引き出すことにより、スピーカ３１や増幅器６２のそれぞれに中継用ケーブル線を介さずに直接接続しても良い。
【００９２】
また、フロントパネル本体１２の両端部のそれぞれにスピーカ３１を設けていたが、一端部に２個のスピーカ３１を併設しても良い。さらに、スピーカ３１の個数は２個に限定されず、例えば、モノラル再生の場合には１個でも良いし、５．１チャンネル再生の場合には６個のスピーカ３１を取り付けても良い。さらに、浴槽の形状や浴槽に入浴する入浴者の位置等に合わせてスピーカ３１の取付位置を設定することが好ましい。
【００９３】
また、上述した実施の形態では、スピーカ３１をスピーカ収容部３２に形成した開口部４１から嵌め込んで取り付けていたが、スピーカ収容部３２の一部に開閉蓋を設け、この開閉蓋を開閉することでスピーカ３１をスピーカ収容部３２の内部に収容しても良い。
【００９４】
また、スピーカ３１を制御するオーディオ用制御部６４および増幅器６２等の電子機器をスピーカ３１と共にスピーカ収容部３２内部に設置しても良い。これにより、スピーカ３１と増幅器６２等との距離が近接するため、音声信号の減衰が抑えられ、音質の向上を図ることができる。
【００９５】
さらに、上述した実施の形態では、中継用ケーブル線１０等のケーブル線を敷設するための専用の空間部１００を設けていたが、この空間部１００を設けずに、ケーブル線を通過させるための管体を浴室空調装置本体２の内部に設けても良い。管体としては、例えば可撓性を有する円筒状をなすものが好適に用いられる。さらには、空間部１００および管体を設けずに、ケーブル線を挿通孔３６，３７を介して浴室空調装置本体２の内部に直接敷設しても良い。このとき、ケーブル線は、壁面に沿って敷設し、風の流れを乱さないように固着部材によって壁面に固定することが好ましい。
【図面の簡単な説明】
【００９６】
【図１】本発明の一実施形態に係る浴室空調装置の構成を示す断面図である。
【図２】浴室空調装置の空間部に形成された挿通孔部分の要部拡大図である。
【図３】挿通孔部分の構成を示す分解斜視図である。
【図４】浴室空調装置の空間部に形成された挿通孔部分の要部拡大図である。
【図５】挿通孔部分の構成を示す分解斜視図である。
【図６】本発明の一実施形態に係る浴室空調装置の構成を示す断面図である。
【図７】浴室空調装置の構成を示す斜視図である。
【図８】浴室空調装置を浴室の天井面に取り付けた状態を示す図である。
【図９】本発明の一実施形態に係る浴室空調装置の構成を示す断面図である。
【図１０】スピーカ収容部が取り付けられたフロントパネルを示す斜視図である。
【図１１】本発明の一実施形態に係る浴室空調装置の構成を示す断面図である。
【図１２】浴室空調装置の構成を示す斜視図である。
【図１３】浴室空調装置の組立て構成例を示す分解斜視図である。
【図１４】本発明の一実施形態に係る浴室空調装置の構成を示す断面図である。
【図１５】浴室空調装置においてフロントパネルを外した状態を示す平面図である。
【図１６】本発明の一実施形態に係る浴室空調装置の構成を示す断面図である。
【図１７】浴室空調装置の構成を示す斜視図である。
【符号の説明】
【００９７】
１Ａ…浴室空調装置、  ２…浴室空調装置本体、  ４…フロントパネル、  １０…中継用ケーブル線、  １２…フロントパネル本体、  １４…スピーカ取付フランジ、  ２０ａ…吸込口、  ２０ｂ…吹出口、  ２０ｃ…排出口、  ２８…本体ケース、  ３０…ケーブル線、  ３０ａ…オス型コネクタ、  ３１…スピーカ、  ３２…スピーカ収容部、  ３２ｂ…フランジ、  ３４ａ…オス型コネクタ、  ３５ａ…メス型コネクタ、  ３６…挿通孔、  ３７…挿通孔、  ３８…ゴムパッキン、  ３９…本体フランジ、  ４８…ケーブル線、  ４８ａ…メス型コネクタ、  ８４…シール蓋、  ８８…部材、  ９０…収容部フランジ、  ９４…外付けフランジ、  １００…空間部、  １０１…浴室、  １１６…カバー部材、  １１８…音声出力孔
【図１】
2008190764.tif 000003
【図２】
2008190764.tif 000004
【図３】
2008190764.tif 000005
【図４】
2008190764.tif 000006
【図５】
2008190764.tif 000007
【図６】
2008190764.tif 000008
【図７】
2008190764.tif 000009
【図８】
2008190764.tif 000010
【図９】
2008190764.tif 000011
【図１０】
2008190764.tif 000012
【図１１】
2008190764.tif 000013
【図１２】
2008190764.tif 000014
【図１３】
2008190764.tif 000015
【図１４】
2008190764.tif 000016
【図１５】
2008190764.tif 000017
【図１６】
2008190764.tif 000018
【図１７】
2008190764.tif 000019